(57)【要約】【課題】  本発明は移動値が±１０００ミリメートル以上に設定されたものであっても、大型化することなく、スムーズにその移動に追従して、損傷することなく、その移動を吸収することができる笠木装置を得るにある。【解決手段】  隣接する左右の建物の目地部側の左右のパラペットに両端部が枢支された中央枢支部が、目地部のほぼ中央部に常時位置する少なくとも2個以上の中央維持機構と、この少なくとも2個以上の中央維持機構の中央枢支部に下部が枢支された笠木カバー支持体と、この笠木カバー支持体にほぼ中央部が支持された前記目地部を覆う笠木カバーと、この笠木カバーの両端部を覆う前記笠木カバー支持体の両端部に後端部が枢支された2対の小口蓋と、この2対の小口蓋の先端部を常時前記笠木カバーの両端部を覆うように付勢する付勢機構とで笠木装置を構成している。【選択図】  図３
2006328888.tif 000002
【特許請求の範囲】
【請求項１】
隣接する左右の建物の目地部側の左右のパラペットに両端部が枢支された中央枢支部が、目地部のほぼ中央部に常時位置する少なくとも２個以上の中央維持機構と、この少なくとも２個以上の中央維持機構の中央枢支部に下部が枢支された笠木カバー支持体と、この笠木カバー支持体にほぼ中央部が支持された前記目地部を覆う笠木カバーと、この笠木カバーの両端部を覆う前記笠木カバー支持体の両端部に後端部が枢支された２対の小口蓋と、この２対の小口蓋の先端部を常時前記笠木カバーの両端部を覆うように付勢する付勢機構とを備えることを特徴とする笠木装置。
【請求項２】
隣接する左右の建物の目地部側の左右のパラペットに両端部が枢支された中央枢支部が、目地部のほぼ中央部に常時位置する少なくとも２個以上の中央維持機構と、この少なくとも２個以上の中央維持機構の中央枢支部に下部が枢支された枠状の笠木カバー支持体と、この笠木カバー支持体にほぼ中央部が支持された前記目地部を覆う笠木カバーと、前記左右のパラペット部位で前記笠木カバーを前後左右方向にスライド移動可能に支持するスライド支持機構と、前記笠木カバーの両端部を覆う前記笠気カバー支持体の両端部に後端部が枢支された２対の小口蓋と、この２対の小口蓋の先端部を常時前記笠木カバーの両端部を覆うように付勢する付勢機構とを備えることを特徴とする笠木装置。
【発明の詳細な説明】
【技術分野】
【０００１】
本発明は隣接する左右の建物の左右のパラペット間の目地部を覆う笠木装置に関する。
【背景技術】
【０００２】
従来の笠木装置は笠木カバーの両端部をスライド式の小口蓋で覆う構造になっている。
【０００３】
しかしながら、免震ビル等では地震時の移動値が±１０００ミリメートル以上に設定するものがあるが、このような大きな移動値を許容できるようにスライド式の小口蓋を取付けようとすると、スライド移動部分の寸法が１５００ミリメートル以上にしないと落下の危険があるとともに、大型化し、スムーズにスライド移動させることができないという欠点があった。
【特許文献１】特許３０９５３６５
【発明の開示】
【発明が解決しようとする課題】
【０００４】
本発明は以上のような従来の欠点に鑑み、移動値が±１０００ミリメートル以上に設定されたものであっても、大型化することなく、スムーズにその移動に追従して、損傷することなく、その移動を吸収することができる笠木装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は隣接する左右の建物の目地部側の左右のパラペットに両端部が枢支された中央枢支部が、目地部のほぼ中央部に常時位置する少なくとも２個以上の中央維持機構と、この少なくとも２個以上の中央維持機構の中央枢支部に下部が枢支された笠木カバー支持体と、この笠木カバー支持体にほぼ中央部が支持された前記目地部を覆う笠木カバーと、この笠木カバーの両端部を覆う前記笠木カバー支持体の両端部に後端部が枢支された２対の小口蓋と、この２対の小口蓋の先端部を常時前記笠木カバーの両端部を覆うように付勢する付勢機構とで笠木装置を構成している。
【発明の効果】
【０００７】
以上の説明から明らかなように、本発明にあっては次に列挙する効果が得られる。
【０００８】
（１）隣接する左右の建物の目地部側の左右のパラペットに両端部が枢支された中央枢支部が、目地部のほぼ中央部に常時位置する少なくとも２個以上の中央維持機構と、この少なくとも２個以上の中央維持機構の中央枢支部に下部が枢支された笠木カバー支持体と、この笠木カバー支持体にほぼ中央部が支持された前記目地部を覆う笠木カバーと、この笠木カバーの両端部を覆う前記笠木カバー支持体の両端部に後端部が枢支された２対の小口蓋と、この２対の小口蓋の先端部を常時前記笠木カバーの両端部を覆うように付勢する付勢機構とで構成されているので、左右の建物が地震で異なる前後左右方向に揺れ動いても、笠木カバーの中央部を笠木カバー支持体によって常時目地部の中央部に位置させることができる。
したがって、笠木カバーを必要以上に大きく設定しなくても、設定された異なる前後左右方向の揺れ動きを吸収することができる。
【０００９】
（２）前記（１）によって、常時目地部の中央部に笠木カバー支持体が位置するので、異なる前後方向に大きく左右の建物が揺れ動いても、左右の建物によって損傷されることがなく、この笠木カバー支持体に後端部が枢支された２対の小口蓋も損傷されることなく回動して、その揺れ動きを吸収することができる。
【００１０】
（３）前記（１）によって、２対の小口蓋は付勢機構によって常時笠木カバーの両端部を覆うように付勢されているので、笠木カバーの両端部を常時２対の小口蓋で確実に覆うことができるとともに、異なる前後方向の揺れで２対の小口蓋が回動しても、付勢機構で自動的に元の状態に戻り、メンテナンスが不要である。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図１１に示す本発明を実施するための最良の第１の形態において、１は隣接する免震ビル等の左右の建物２、２の目地部３の上部を覆う本発明の笠機装置で、この笠木装置１は前記左右の建物２、２の目地部側の左右のパラペット４、４に両端部が枢支された中央枢支部５が目地部３の中央部に常時位置する少なくとも２個以上の中央維持機構６、６と、この少なくとも２個以上の中央維持機構６、６の中央枢支部５、５に下部が枢支された笠木カバー支持体７と、この笠木カバー支持体７にほぼ中央部が支持された前記目地部を覆う笠木カバー８と、前記左右のパラペット４、４部位で前記笠木カバー８を前後左右方向にスライド移動可能に支持するスライド支持機構９、９と、前記笠木カバー８の両端部を覆う前記笠木カバー支持体７の両端部に後端部が枢支された２対の小口蓋１０、１０、１０、１０と、この２対の小口蓋１０、１０、１０、１０の先端部を常時前記笠木カバー８の両端部を覆うように付勢する付勢機構１１、１１、１１、１１とで構成されている。
【００１４】
前記中央維持機構６は後端部が左右のパラペット４、４の目地部側の上部に枢支金具１２、１２で枢支された一対のラック１３、１３と、この一対のラック１３、１３を前記目地部の中央部でスライド移動可能に支持する支持筒１４と、この支持筒１４のほぼ中央部に上部が上方へ突出するように固定された中央枢支部としての枢支軸１５と、前記支持筒１４内で前記枢支軸１５に回転可能に取付けられた、前記一対のラック１３、１３と噛み合うピニオン１６とで構成されている。
【００１５】
前記笠木カバー支持体７は長方形状の枠状に形成された支持体本体１７と、この支持体本体１７に所定間隔で配置された補強バー１８、１８、１８と、前記支持体本体１７の下部バー１７ａに形成された、前記枢支軸１５、１５が回動可能に挿入される挿入孔１９、１９と、前記枢支軸１５、１５より前記支持体本体１７の脱落を防止するダブルナットやストッパーピン等の係止具２０とで構成されている。
【００１６】
前記笠木カバー８は山形状に形成された笠木カバー本体２１と、この笠木カバー本体２１の両側部より下方へ突出させた両側水切り板２２、２２と、前記笠木カバー本体２１の中央部の内底面に固定された前記笠木カバー支持体７の上部に複数本のビス２３で固定することができる取付け金具２４とで構成されている。
【００１７】
前記スライド支持機構９は前記左右のパラペット４、４の上部に取付けられた前後方向の長孔２５を有する支持金具２６、２６と、この支持金具２６、２６の長孔２５、２５を前後左右方向にスライド移動可能に貫通して、両端部が前記笠木カバー８の両側水切り板２２、２２に固定されるバー部材２７、２７とで構成されている。
【００１８】
前記２対の小口蓋１０、１０、１０、１０は前記笠木カバー８の両端部を覆うとともに、下端部が該笠木カバー８の下部よりも下方へ突出する２対の小口蓋本体２８、２８、２８、２８と、この２対の小口蓋本体２８、２８、２８、２８の上面および先端部を、ほぼ直角に折り曲げて形成されたカバー部２９、２９、２９、２９と、前記小口蓋本体２８、２８、２８、２８の後端部を、前記笠木カバー支持体７の両端部の垂直バー７ａ、７ａに取付けるヒンジ部材３０、３０、３０、３０とで構成されている。
【００１９】
前記付勢機構１１、１１、１１、１１は一端が前記２対の小口蓋１０、１０、１０、１０の先端部寄りの部位の取付け金具３１、３１、３１、３１に取付けられ、他端部が前記左右のパラペット４、４の両端部より内側部位の取付け金具３２、３２、３２、３２に取付けられた付勢スプリング３３、３３、３３、３３で構成されている。
【００２０】
上記構成の笠木装置１は、地震等によって異なる左右方向に揺れ動いた場合には、図８および図９に示すように中央維持機構６、６で笠木カバー支持体７を目地部３の中央部に位置させるので、笠木カバー８の中央部も目地部３の中央部に位置するため、笠木カバー８が一方に寄って両側水切り板２２、２２の一方が左右のパラペット４、４と衝突したりするのを効率よく阻止することができる。
また、異なる前後方向に揺れ動いた場合には、図１０および図１１に示すように外方へ突出する左右のパラペット４、４によって、該部位の小口蓋１０、１０および１０、１０が外方へ押し付けられ、付勢機構１１、１１、１１、１１の付勢スプリング３３、３３および３３、３３の付勢力に抗して回動して、その揺れ動きを吸収する。
揺れ動きが停止すると付勢スプリング３３、３３および３３、３３の付勢力によって、２対の小口蓋１０、１０、１０、１０は笠木カバー８の両端部を覆った状態に自動的に戻る。
[発明を実施するための異なる形態]
【００２１】
次に、図１２ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１２ないし図１６に示す本発明を実施するための第２の形態において、前記本発明を実施するための最良の第１の形態と主に異なる点は、パンタグラフ形状の中央維持機構６Ａ、６Ａを用いるとともに、ワイヤー３４、３４、３４、３４に取付けた重り３５、３５、３５、３５をパラペット４、４に取付けられたガイド部材３６、３６、３６、３６を通過させて２対の小口蓋１０、１０、１０、１０を閉じる方向へ付勢する付勢機構１１Ａ、１１Ａ、１１Ａ、１１Ａを用いた点で、このように構成した笠木装置１Ａにしても、前記本発明を実施するための最良の第１の形態と同様な作用効果が得られる。
【００２３】
図１７ないし図２０に示す本発明を実施するための第３の形態において、前記本発明を実施するための最良の第１の形態と主に異なる点は、四角枠形状のリンク３７の一方の対向するアーム３７ａ、３７ａのほぼ中央部に両端部が枢支された中央枢支部５を有する中央バー３８を備えた中央維持機構６Ｂ、６Ｂを用いるとともに、両側水切り板２２、２２の下端部を左右のパラペット４、４に前後左右方向にスライド移動可能に支持させた点で、このように構成した笠木装置１Ｂにしても、前記本発明を実施するための最良の第１の形態と同様な作用効果が得られる。
【産業上の利用可能性】
【００２４】
本発明は隣接する左右の建物の左右のパラペット間の目地部を覆う笠木装置を製造する産業で利用される。
【図面の簡単な説明】
【００２５】
【図１】本発明を実施するための最良の第１の形態の平面図。
【図２】本発明を実施するための最良の第１の形態の拡大正面図。
【図３】図１の３−３線に沿う拡大断面図。
【図４】本発明を実施するための最良の第１の形態の中央維持機構の取付け状態の説明図。
【図５】本発明を実施するための最良の第１の形態の笠木カバー支持体の取付け状態の説明図。
【図６】本発明を実施するための最良の第１の形態のスライド支持機構の説明図。
【図７】本発明を実施するための最良の第１の形態の小口蓋の説明図。
【図８】本発明を実施するための最良の第１の形態の目地部が狭くなった動作説明図。
【図９】本発明を実施するための最良の第１の形態の目地部が広くなった動作説明図。
【図１０】本発明を実施するための最良の第１の形態の異なる前後方向の動作説明図。
【図１１】本発明を実施するための最良の第１の形態の異なる前後方向の動作説明図
【図１２】本発明を実施するための第２の形態の平面図。
【図１３】本発明を実施するための第２の形態の拡大正面図。
【図１４】本発明を実施するための第２の形態の中央維持機構の説明図。
【図１５】本発明を実施するための第２の形態の付勢機構の説明図。
【図１６】図１２の１６−１６線に沿う拡大断面図。
【図１７】本発明を実施するための第３の形態の平面図。
【図１８】本発明を実施するための第３の形態の拡大正面図。
【図１９】本発明を実施するための第３の形態の中央維持機構の説明図。
【図２０】図１７の２０−２０線に沿う拡大断面図。
【符号の説明】
【００２６】
１、１Ａ、１Ｂ：笠木装置、    ２：建物、
３：目地部、                  ４：パラペット、
５：中央枢支部、              ６、６Ａ、６Ｂ：中央維持機構、            
７：笠木カバー支持体、        ８：笠木カバー、
９：スライド支持機構、        １０：小口蓋、
１１、１１Ａ：付勢機構、      １２：枢支金具、
１３：ラック、                １４：支持筒、
１５：枢支軸、                １６：ピニオン、
１７：支持体本体、            １８：補強バー、
１９：挿入孔、                ２０：係止具、
２１：笠木カバー本体、        ２２：両側水切り板、
２３：ビス、                  ２４：取付け金具、
２５：長孔、                  ２６：支持金具、
２７：バー部材、              ２８：小口蓋本体、
２９：カバー部、              ３０：ヒンジ部材、
３１：取付け金具、            ３２：取付け金具、
３３：付勢スプリング、        ３４：ワイヤー、
３５：重り、                  ３６：ガイド部材、
３７：リンク、                ３８：中央バー。
【図１】
2006328888.tif 000003
【図２】
2006328888.tif 000004
【図３】
2006328888.tif 000005
【図４】
2006328888.tif 000006
【図５】
2006328888.tif 000007
【図６】
2006328888.tif 000008
【図７】
2006328888.tif 000009
【図８】
2006328888.tif 000010
【図９】
2006328888.tif 000011
【図１０】
2006328888.tif 000012
【図１１】
2006328888.tif 000013
【図１２】
2006328888.tif 000014
【図１３】
2006328888.tif 000015
【図１４】
2006328888.tif 000016
【図１５】
2006328888.tif 000017
【図１６】
2006328888.tif 000018
【図１７】
2006328888.tif 000019
【図１８】
2006328888.tif 000020
【図１９】
2006328888.tif 000021
【図２０】
2006328888.tif 000022